(57)【要約】      （修正有）【課題】多角面の場所に対応でき簡単に打込植栽が可能な、作業、移動、生育、経済等に合理性を持って植栽ができる杭鉢を提供する。【解決手段】杭鉢１が生分解樹脂で土壌摩擦に耐える強度を持ち、あらゆる土質に打込植栽ができる。また植栽後に貫通穴４から外部に根を伸ばし活着根づいてから、生分解樹脂の杭鉢が徐徐にバクテリア分解によって杭鉢が消滅していく構成。【選択図】図１
2005270087.tif 000002
【特許請求の範囲】
逆円錐型のプラスチック製類素材の杭型鉢に、複数の切込貫通孔を周囲に設けて水養分の吸収と鉢外部に根が伸長する様になっている。上部鉢口の左右対称に耳受けを突起させて専用フォークで挟み固定して、多角面に自在に動かして目的の移植面に合せてフォークの叩き面をハンマーで打ち込んで植栽が素早く簡単にできる。植栽する植物苗もあらかじめ本発明鉢で一時期養成しておくので活着が確実となる。植栽の固定度が高いので、強い雨風に晒されても倒れたり流失しないので支柱等は不要です。勾配の強い法面でも手軽に打込み植栽ができ、打込みと同時に法面に強度を増し、時期と共に植物が育ち根を張るのでさらに強固となる。川辺りの護岸にも打込植栽ができ川岸の侵食を防げる。
水性植物も本発明杭鉢に植えて水中に打込固定植栽が簡単にでき、水環境の改善工事が楽である。環境緑化植林事業が国内外で強く推進されるなか、植林環境条件が悪く植林作業が困難な場所、また植林しても活着が悪く枯死が多発している所でも本発明で行えば悪い諸条件を乗り越えて、植林が成功できる。
尚、本発明の杭鉢に植物の苗を無菌で保水性のある培地で植込んで養成することで、遠距離の山岳地帯へも、乾燥させずに移動することができる。また植林後しばらく雨が降らなくても水保持が良いので乾燥地帯にも植林ができる。無菌の培地に植物を植えて、海外と輸出入貿易ができるので生産コストの安い国で生産して利用すれば、数分の一のコストで植林を拡大できる。この様に植栽にあらゆる面で優位点を持ち、合理的で効率の良い方法である多角面打込植栽杭鉢。
【発明の詳細な説明】
【発明の詳細な説明】
【産業上の利用分野】
【０００１】  本発明は植物を逆円錐型の杭鉢に植込んで養成し、山林、農地、道路、護岸住宅地その他で平面、斜面、凹凸面、水底面の多角面に苗の植わった杭鉢をフォークに挟み固定してハンマーで打込植栽をする。作業がいとも簡単でスピーディーにでき植物の活着が確実である。多くの場所で行われている法面工事等で本発明を利用すれば、杭打式に打込んで植栽するから強度が相乗的に増すと共に工事費の削減となる。長期間の移動にも根圏が乾燥することなく、健全な状態で流通ができる。本発明はあらゆる面で合理的な植林と植栽作業を推進する緑化産業に関する分野である。
【従来の技術及びその課題】
【０００２】  古くから植林をする習慣はあり住宅建築の主の材料として植林されてきました。また雑木類は燃料として利用され、生活には欠かせないものでした。それと共に山林を伐採したままにして置くと、山崩れや水害等で大きな被害を受ける事から植林は大切なものの一つでした。植林は今も昔も同じ方法でしか行われていません。杉や桧が主ですが、林業農家が種子を畑地に蒔いて２〜３年苗を掘り起こし、根は土を落として裸のままにしてコモに巻いて植林をしますが、根が移動中に乾燥の害を受けて枯死するものや、植林後に初期の活着が不充分で弱って生育にバラツキが出て数十年後の出荷時に良品が少なく経済的損失となる。植林の手間や重労働のため、後継者が無く林業農家は深刻です。また海外の熱帯地方では、森林の伐採と焼畑農業で森林が消滅し、地球規模で酸素や二酸化炭素のバランスが悪化して、エルニーニョ現象、オゾン層破壊で危機的な状態が心配されています。これらを解消する手立ては植林を推進するしかない。本発明の手法は非常に簡単で解りやすく合理的な点、文化の低い後進国であっても植林を成功させることができます。これらの問題点をふまえて諸条件を解決するために発明された、多角面打込植栽杭鉢。
【本発明が解決しようとする課題】
【０００３】  様々の地域環境や場所で植栽をする場合、特に山林等は傾斜が多く植栽に手間がかかり植栽費が高くつく点や活着率も悪い事もあって、今の方法では林業の後継者も育たないと言われています。本発明で植林を行えば作業効率も数倍に上がり活着等も確実に良くなる。したがって数十年後に良い木材を市場に送ることができる。また中国には広大な乾燥地帯があり現在の方法で植林しても活着が悪く枯死が多いと言われています。本発明で行えば成功は可能です。道路工事で傾斜のきつい法面植栽は工事等も非常に危険がともない、工事費に多額の費用がかかりますが本発明を利用すれば工事費も安価で植物の活着も完全です。本発明は多角面の場所に対応でき簡単に打込植栽ができる。作業、移動、生育、経済等に合理性を持って植栽ができることの課題です。
【問題点を解決するための手段】
【０００４】  上記の目的を達成するためには、図１に示すように逆円錐形の底のとがった杭鉢の周囲に切込み孔を設けて上部鉢口の左右に耳受を突起させ、図３のように植物の苗を杭鉢に植え、養成したものを、図２にフォークで挟み固定して、図５のように地面にハンマーで打込固定植栽する。この方法であれば、あらゆる地形に対応でき、容易く打込植栽ができる。至って簡単作業で労費も少なく植林に優良の諸条件を持ち備えている。緑化産業を推進するための解決手段である。
【作用】
【０００５】  従来の植林は苗床から苗を棒引にして、根から土を落として束にして筵で巻き、山中へ運びますが、移動中や植栽中に根が乾燥害を受けるため、植栽しても活着不充分で枯死や育成障害で損失をまねく。本発明は、杭鉢に一定期間苗を養成することで活着は確実です。従来の方法は鍬やスコップで穴を掘り、苗を植えて足で踏み固める重労働で、本発明の５倍以上手間がかかります。また強い雨風で苗が倒れたり流失が多い。本発明は苗を杭鉢で養成するので外部から受ける被害が無く、活着が確実です。植栽期も鉢植えですから年中でき、効率が良い。また従来は３年生苗を植栽しますが、杭鉢養成苗は２年生苗で植栽が可能です。以上述べたように複数にのぼる有効な作用がある。
【実施例】
【０００６】以下、図面を参照して本発明の多角面打込植栽杭鉢を使用した実施例を説明すると図１の杭鉢は４の切込貫通孔を周囲に複数設けて養水分と酸素、ミネラルの吸収孔と根酸老廃物の排出孔、根の成長によって外部進出孔、また打込時の根圏の保護カバーの役割もある。３は耳受突起で図２の鉢挟固定フォークで、図３のように杭鉢に植えられ養成されたものを図４のようにしっかりと挟み固定して多角面方向に動かしても落ちることがない。従ってどんな角度でも目的地面にハンマーでフォークの７の叩面を叩いて、図５のように打込植栽する。本発明で植栽できる植物の品種類は、植林樹木類、果樹類、花木類、パルプ樹類熱帯樹木類、花木類、香木類、庭園樹類、雑木類の各全種類である。なお、本発明に使用する素材は生分解性樹脂材、プラスチック、金属、ウレタン、ガラス、セラミック、不織布、竹、木、スチロール等である。生分解樹脂で杭鉢を使用する場合は植物の活着期間に合せて分解期間を調整して対応する。分解を早めるために分解促進バクテリアを杭鉢内に入れられる。肥料、微量要素、ミネラル等も内蔵して生育を促進させることができる。
【発明の効果】
【０００７】  本発明は、以上説明したように植栽の方法を杭打式にし作業性を数倍良くし杭鉢で一時養成してから植栽するので枯れたり弱ったりするのを防ぎ、活着を確実にする。打込みですから多角面にスムーズに打込み作業ができる。急勾配や急斜面の難所でも簡単に打込植栽ができる。杭鉢で植物を固定保護できるので強い雨風で流失したり倒れたりしないので、支柱などを立てる必要がない。杭鉢内は無菌培地ですから検疫フリーで近隣各国と貿易ができ、生産コストの安い国で生産を行えば現在の価格の数分の１のコストで流通が可能です。本発明は、作業方法が簡単明瞭な点、どこの国においても同じ方法で植栽ができるので国際レベルで緑化産業を発展構築していき、地球環境対策に大きな進展を計る多様な効果を生む。
【図面の簡単な説明】
【図１】本発明杭鉢の斜視図
【図２】本発明固定フォーク斜視図
【図３】本発明に苗を植えた斜視図
【図４】本発明を固定フォークで挟んだ斜視図
【図５】本発明を地面に打込んだ一部断面斜視図
【符号の説明】
１．  杭鉢
２．  上部鉢口
３．  耳受突起
４．  切込貫通孔
５．  強度杭矢部
６．  固定フォーク
７．  叩き面
８．  挟み止め
９．  植物苗
１０．ハンマー
１１．地面
【図１】
2005270087.tif 000003
【図２】
2005270087.tif 000004
【図３】
2005270087.tif 000005
【図４】
2005270087.tif 000006
【図５】
2005270087.tif 000007